(57)【要約】【課題】  予め用意した各種の手芸製品にユーザーからの写真を適用して、従来に無い新たな付加価値を有する新規の手芸製品を提供することにあり、もって、今までに無い新たな利用方法によってデジタル画像を利用でき、また、ユーザー毎に異なる製品を製作して、ユーザーが所望するオリジナル性に富んだ装飾性を発揮する画像処理布を用いた手芸製品を提供すること。【解決手段】  生地３表面にデジタル処理により適宜の画像２ａを定着処理を施して画像処理布２を作製し、この画像処理布２を構成要素として手芸手法を用いて所望の製品１に構成した画像処理布を用いた手芸製品である。【選択図】          図２
0003106038.tif 000002
【実用新案登録請求の範囲】
【請求項１】
生地表面にデジタル処理により適宜の画像を定着処理を施して画像処理布を作製し、この画像処理布を構成要素として手芸手法を用いて所望の製品に構成したことを特徴とする画像処理布を用いた手芸製品。
【請求項２】
前記デジタル処理手段は、インクジェットプリンタ、レーザープリンタ等の印刷手段である請求項１記載の画像処理布を用いた手芸製品。
【請求項３】
前記画像処理布は、インクジェットのインク層が浸透して所定経過後に定着するような布状体である請求項１又は２記載の画像処理布を用いた手芸製品。
【請求項４】
前記構成要素である画像処理布と基布との間に特殊綿を装入して前記構成要素を膨出成形し、画像処理布をやや立体形状に構成して製品の一部とした請求項１乃至３の何れか１項に記載の画像処理布を用いた手芸製品。
【請求項５】
前記製品は、タペストリー、クッション、ウェルカムボード、かばん、ポシェット等である請求項１乃至４の何れか１項に記載の画像処理布を用いた手芸製品。
【考案の詳細な説明】
【技術分野】
【０００１】
本考案は、生地表面に画像処理を施した画像処理布を用いてデジタル写真等を表示するようにした画像処理布を用いた手芸製品に関する。
【背景技術】
【０００２】
近年、デジタルカメラによって撮影したデジタル写真やスキャンした写真などの画像、或は、データ化したイラスト等のデジタル画像を、印刷に適した処理を施した布表面にインクジェットプリンタなどの特殊印刷機を用いて印刷する技術が提案されている。デジタル画像をこの布に印刷した場合でも、通常の普通紙などに印刷したときと比較して発色性などの画質においてもほとんど遜色なく鮮明に表現でき、しかも洗濯も可能であり、洗濯した場合でもこの鮮明なカラーを保持できるようにもなってきているため、通常のデジタル写真プリントに加えて新たな写真保存技術として利用されつつある。
【０００３】
布の表面に特殊印刷機により写真を印刷したものとして、写真、絵画等の観賞イメージを表面側にカラー印刷した壁掛け用装飾品がある（例えば、特許文献１参照。）。この壁掛け用装飾品は、タフテッドカーペット地やウイルトン織等の無地のカーペット地からなる装飾品本体の表面にコンピュータエイドペインティング手段によってカラー印刷を施すようにしたものである。
一方、上記の壁掛け用装飾品以外にも、例えば、かばんなどに特殊な印刷装置を用いて写真等を印刷した装飾品も従来より提案されている。
【特許文献１】登録実用新案第３０１５３４２号公報
【考案の開示】
【考案が解決しようとする課題】
【０００４】
今日におけるデジタル技術は、日々新しい技術開発がなされている。デジタル画像の処理技術においても同様であり、現在ではデジタル画像処理技術は日々向上し、デジタル画像の鮮明さや色彩性などの表現性において高精細のデータが利用できるようになっている。
上記のデジタル写真等のデジタル画像を利用するユーザー側は、従来は、デジタル画像をプリントアウトして写真アルバムに貼り付けたり、パーソナルコンピュータ等のハードディスク内に保存したり、或は、ＣＤ−Ｒ、ＭＯ、フレキシブルディスク、メモリカード等のメディア内に保存したりすることによって、このデジタル画像を格納しておき、必要に応じてこれらを取り出したり画面に表示させたりして鑑賞するようにしていたが、上記のような布の表面に特殊な印刷機を用いて写真を印刷する技術の開発によって、これを新たなデータの格納手段として利用するようになっている。しかし、印刷後の布の格納場所としては、上記のような壁掛け用装飾品やかばん、又は、写真プリントしてアルバムなどに貼り付けるなど用途が限定されており、オリジナル性にも欠けていた。
このような理由によって、ユーザーは所望する装飾性の製品が得られず、一方、装飾品を製作する側は、製品として提供できる種類が限られ、ユーザーの満足感を満たしているとは言えない。
【０００５】
そこで本考案者は、デジタル画像を定着可能な布に画像を施して格納した思い出製品を本考案者が永年に蓄積した手芸手法を取り入れてこれを併合することによって、従来に存在しない使用価値の高い手芸製品を開発するに至った。即ち、その目的とするところは、予め用意した各種の手芸製品にユーザーからの写真を適用して、従来に無い新たな付加価値を有する新規の手芸製品を提供することにあり、もって、今までに無い新たな利用方法によってデジタル画像を利用でき、また、ユーザー毎に異なる製品を製作して、ユーザーが所望するオリジナル性に富んだ装飾性を発揮する画像処理布を用いた手芸製品を提供することにある。
【課題を解決するための手段】
【０００６】
上記の目的を達成するために、請求項１に係る考案は、生地表面にデジタル処理により適宜の画像を定着処理を施して画像処理布を作製し、この画像処理布を構成要素として手芸手法を用いて所望の製品に構成した画像処理布を用いた手芸製品である。
【０００７】
請求項２に係る考案は、前記デジタル処理手段は、インクジェットプリンタ、レーザープリンタ等の印刷手段である画像処理布を用いた手芸製品である。
【０００８】
請求項３に係る考案は、前記画像処理布は、インクジェットのインク層が浸透して所定経過後に定着するような布状体である画像処理布を用いた手芸製品である。
【０００９】
請求項４に係る考案は、前記構成要素である画像処理布と基布との間に特殊綿を装入して前記構成要素を膨出成形し、画像処理布をやや立体形状に構成して製品の一部とした画像処理布を用いた手芸製品である。
【００１０】
請求項５に係る考案は、前記製品は、タペストリー、クッション、ウェルカムボード、かばん、ポシェット等である画像処理布を用いた手芸製品である。
【考案の効果】
【００１１】
請求項１に係る考案によると、従来に存在しない新たな付加価値を有する使用価値の高い手芸製品であり、ユーザーからのデジタル画像を手芸製品に適用して製品化することで今までに無い手芸製品を提供できる。このとき、手芸製品のパターンを多数用意し、これに画像を印刷した布を組み合せて製品化することで量産に対応でき、コスト的にも有利である。
ユーザーは、これまでに無い利用方法によってデジタル画像を利用することができ、デジタルカメラで撮影したデジタル写真はもとより、フィルム写真もデジタル画像に変換することで、古い思い出写真を手芸製品と一体化した新たな形態で利用でき、蓄積したフィルム写真を新しい格納手段に格納することができる。この場合、パソコン等で画像にデジタル加工処理を施して画像を美しく再生することもでき、常に美しい状態の画像を利用して記念品や装飾品などの手芸製品を製作することができる。
また、ユーザー毎に異なる製品を製作して、ユーザーが所望するオリジナル性に富んだ手芸製品を得ることができ、装飾性にも優れている。更には、予め作成した手芸製品以外の製品を製作することもでき、ユーザー毎に一品製作することも可能である。
【００１２】
請求項２に係る考案によると、製品の製作者、或はユーザーによって簡単に装飾性に優れる画像処理布を作製することができ、しかも低コストで作製できる。更に、この画像処理布をそのまま使用して所望の製品に構成することができる画像処理布を用いた手芸製品である。
【００１３】
請求項３に係る考案によると、優れた耐水性を発揮して、繰り返し洗濯を行っても装飾性を失うことがなく、また、優れた耐光性を発揮させることもできる画像処理布を用いた手芸製品である。
【００１４】
請求項４に係る考案によると、従来に無い独特の装飾性を発揮することができ、また、視覚的に優れるだけでなく、触れたときにもこれまでに無い独特の触感が得られる画像処理布を用いた手芸製品である。
【００１５】
請求項５に係る考案によると、様々な形態の製品を設けることができ、室内装飾品として常に飾った状態で観賞することができ、わざわざ収納する必要がない。また、実用的にも優れた画像処理布を用いた手芸製品である。
【考案を実施するための最良の形態】
【００１６】
本考案における画像処理布を用いた手芸製品の一実施形態を図面に基づいて説明する。
図１は、本考案における画像処理布を用いた手芸製品の一実施形態を示す正面図であり、タペストリーを製品本体１としたものである。
画像処理布２は、綿等の生地３表面にデジタル処理により適宜の画像部２ａを定着処理して作製したものであり、画像部２ａのデジタル処理手段は、例えば、インクジェットプリンタ、レーザープリンタ等の図示しない印刷手段である。また、デジタル処理とは、デジタルカメラで撮影したデジタル写真の印刷からなる通常の処理のみならず、フィルム写真をスキャニングしてコンピュータに格納してデジタル加工を介して印刷するものを含んでいる。
画像処理布２は手芸製品の製作者、或はユーザーの何れによっても作製可能であるが、通常は製作者が作製し、この場合、ユーザーからデータ化されたデジタル写真やイラスト等を受取って所定の画像部２ａを印刷している。データの受取りは、例えば、ＣＤ−Ｒ、ＭＯ、フレキシブルディスク、メモリカード等のメディアによって行ったり、或は、インターネット等によってオンラインで行うことも可能であり、ユーザーは印刷する手間が省けると共に、高性能の印刷機によって、より高精細な画像部２ａが得られる。
【００１７】
ここで、インクジェットプリンタは、細径のインクノズルからインクを噴出させてドット記録を行うようにしたものであり、この方式で使用されるインクには噴射の信頼性などが要求されるため水溶性の直接染料、酸性染料などが含まれている。このため、インクは結果として水に溶けやすくなっている。
従って、画像処理布２はインクジェットのインク層が浸透して所定経過後に定着するような布状体として、インクジェットプリンタ等からの水性インクに対して耐水性が良く、更には耐光性も良い材料であり、例えば、画像処理布２の表面に対して耐水性、及び耐光性に優れたカチオン単位とアニオン単位を含む高分子化合物からなる表面処理剤３ａで表面処理している。これにより、イオン密度が高くなることによって溶解性が安定し、更に、カルボン酸とアミンとの両方を存在させることによりｐＨの安定性が高められ、この特定両性高分子化合物が有効に働いて結合状態が安定し、耐水性及び耐光性が高められる。
【００１８】
更に、画像処理布２のインクの染み出しをより防ぐようにするには、例えば、両側部分をインクが浸透可能な層、中央部分をインクが定着する性質の層とした３層構造にしておけば、印刷時にインクが表面層に着弾した後に中央層まで浸透し、乾燥したときに中央層部分に定着するため、インクが生地３の内部に残って洗濯等の水分で色落ちしたり剥がれたりするおそれがなく、インクが浸透する層の無い１層構造の場合と比較して、インクの浸透層が本体内部にある状態のため、インクをにじませることなく吸収して美しく印刷され、発色性も良くなる。従って、印刷後に完全に生地３に定着して半永久的に色落ちするおそれがない。また、この生地３全体は薄くすることができるため、手触り感を良くできる等のメリットがある。
【００１９】
次に、上記によって得られる画像処理布２を用いて製品本体１を製作する。製作者は、手芸製品の各種のパターンを多数用意しておき、これにユーザーによる指定の写真を印刷した画像処理布２を組み合せて製品化する。製品本体１の種類としては、例えば、タペストリー、クッション、ウェルカムボード、かばん、ポシェット等があるが、これ以外にも、ユーザーの希望に応じて形状や色彩などを変更したり、新たな形態の製品本体１を製作することも可能であり、何れの場合も画像処理布２を構成要素として手芸手法を用いて所望の製品に構成するようにしている。
【００２０】
図２において、画像処理布２を縫付ける際は、構成要素である画像処理布２と基布４との間に特殊綿７を装入して膨出成形し、画像処理布２をやや立体形状に構成して製品の一部としている。装飾布５と枠布６は、画像処理布２にそれぞれ隣接させ、これらを縫付糸８によって縫付けて一体化している。このようなパッチワークその他の手芸手法によって縫付けを行い、更に、モチーフとなる画像部２ａの周囲などをキルティングすることで画像部２ａに形成された模様を全体的に浮かび上がらせて製品本体１を立体的に形成している。
本実施形態においては、異なる図柄の画像部２ａの画像処理布２を装飾布５と枠布６との間の複数箇所に配置した状態で縫付糸８で縫付けているため、画像処理布２と画像部２ａが隆起して立体的な状態になる。
なお、基布４、装飾布５、枠布６は、装飾が得られる画像処理布２と同材料であってもよいが、別の材料を用いてもよく、実施に応じて任意である。また、基布４、装飾布５、枠布６の表面側にも、実施する製品本体１に合わせて適宜のキルティング等の手芸手法によって装飾を施すようにしてもよい。
【００２１】
図３〜図６においては、本考案における画像処理布を用いた手芸製品の他の実施形態を示しており、各図に示すように、製品本体をタペストリー以外のクッション１１、ウェルカムボード１３、かばん１５、ポシェット１７にそれぞれ設けたものである。この場合もタペストリー１の場合と同様に、デジタル写真や、スキャニングしたデジタル画像及びデジタル加工した画像、イラスト等のデジタル画像を印刷した画像処理布１２、１４、１６、１８を縫付糸８でそれぞれ縫付けるようにすればよい。他の実施形態においても、パッチワークやキルティング処理を施すことができることはもとより、図３、４に示すように画像処理布１２、１４の外周縁などにアップリケ１１ａ、１３ａなどの異なる装飾をそれぞれ施している。
また、図示しないが、画像処理布を用いて動物のぬいぐるみ等の立体物を製作することもでき、この場合、内部に装入する特殊綿の量を調節することによって、画像処理布の立体感をより一層引き立たせることが可能である。
【００２２】
図７においては、製品本体２０を衣服であるＴシャツとしたものであり、画像部２１ａを施した画像処理布２１を、図示しない接着のりを用いてアイロン掛けによって溶着している。このように、画像処理布は、縫付糸による縫付けによる取付け手段だけに拘ることなく、接着のりによる貼付けや、その他の各種の手芸手法などによって所望の製品に構成すればよい。
【００２３】
本考案における画像処理布を用いた手芸製品の更なる例としては、例えば、座布団、ランチョンマット、テーブルクロスなどがあり、また、各製品の用途としても、壁掛け用、置物用、身体装着用、所持用、吊り下げ用、収納用などがある。更には、手芸製品以外にも、例えば、掛け時計、腕時計などの時計、カレンダー、靴・スリッパ、ポスター、傘、マウスパッドなどの各種の製品本体としてもよい。
また、図示しないが、画像処理布に刺繍やビーズによって装飾を施したり、又はインターネットからダウンロードした模様を印刷した布にデジタル写真を組み合せる等によって、手芸製品の価値を高めることもできる。
【００２４】
次に本考案における画像処理布を用いた手芸製品の上記実施形態の作用を説明する。
本考案における画像処理布を用いた手芸製品は、生地３にデジタル処理により画像部２ａを定着処理した画像処理布２を設け、この画像処理布２を構成要素として手芸手法を用いて所望の製品に構成しているので、デジタル画像に付加価値を持たせた従来に無い全く新たな手芸製品を提供できる。
しかも、紙に印刷した場合とは異なり、破れたりすることがなく耐久性に優れ、従来のように板面上に貼り付けて平面的に利用できることはもとより、曲面上に貼り付けるなどの立体的にも利用することが可能であり、布の特性を生かしてデジタル画像を格納することができる。
【００２５】
ユーザーは、写真アルバムや、ハードディスク等のメディア、或は壁掛け用の装飾品による観賞以外の従来に全く無い新たな観賞手段が得られ、室内装飾品として優れた装飾性を発揮するばかりか、デジタル画像の新たな格納場所として利用できる。このとき、製作者が製作した各種の手芸製品と組合せてオリジナル性を有しつつ優れた装飾性を発揮する貴重な製品を得ることができ、従来には無い満足感が得られる。
このように、製品本体１を画像部２ａを表示させながら使用することにより、収納したりしまい込んだりする必要が無いアルバム機能を有するものとして使用可能であり、インテリアとして常に室内に飾ることが可能であり、また、上記の何れの製品本体においても、製品本体を手芸手法を用いて手作り風に製作していることで、製品本体に立体感、高級感、温かみをかもし出している。
【００２６】
更に、インクジェットプリンタ等の印刷手段でデジタル処理を行うようにしているので、特殊な印刷方法を用いることなく場所を問わずに誰でも簡単に印刷でき、低コストで高画質の印刷が可能である。
【産業上の利用可能性】
【００２７】
本考案は、例えば、タペストリー、クッション、ウェルカムボード、かばん、ポシェット等の手芸製品を製作する場合に特に好適であるが、これら以外の各種の装飾品などにも応用することができ、従来には得られなかった新たな製品を設けることができるものである。
【図面の簡単な説明】
【００２８】
【図１】本考案における画像処理布を用いた手芸製品の一実施形態を示す正面図である。
【図２】図１のＡ−Ａ線断面模式図である。
【図３】本考案における画像処理布を用いた手芸製品の他の実施形態を示す正面図である。
【図４】本考案における画像処理布を用いた手芸製品の更に他の実施形態を示す正面図である。
【図５】本考案における画像処理布を用いた手芸製品の更に他の実施形態を示す正面図である。
【図６】本考案における画像処理布を用いた手芸製品の更に他の実施形態を示す斜視図図である。
【図７】本考案における画像処理布を用いた手芸製品の更に他の実施形態を示す正面図である。
【符号の説明】
【００２９】
１  製品本体（タペストリー）
２  画像処理布
２ａ  画像部
３  生地
４  基布
７  特殊綿
１１  クッション
１３  ウェルカムボード
１５  かばん
１７  ポシェット  
【図１】
0003106038.tif 000003
【図２】
0003106038.tif 000004
【図３】
0003106038.tif 000005
【図４】
0003106038.tif 000006
【図５】
0003106038.tif 000007
【図６】
0003106038.tif 000008
【図７】
0003106038.tif 000009
【手続補正書】
【提出日】平成16年4月19日(2004.4.19)
【手続補正１】
【補正対象書類名】実用新案登録請求の範囲
【補正対象項目名】全文
【補正方法】変更
【補正の内容】
【実用新案登録請求の範囲】
【請求項１】
生地表面にデジタル処理により適宜の画像を定着処理を施して画像処理布を作製し、この画像処理布を構成要素として手芸手法を用いて所望の製品に構成したことを特徴とする画像処理布を用いたタペストリー等の室内装飾品。
【請求項２】
前記デジタル処理手段は、インクジェットプリンタ、レーザープリンタ等の印刷手段である請求項１記載の画像処理布を用いたタペストリー等の室内装飾品。
【請求項３】
前記画像処理布は、インクジェットのインク層が浸透して所定経過後に定着するような布状体である請求項１又は２記載の画像処理布を用いたタペストリー等の室内装飾品。
【請求項４】
前記構成要素である画像処理布と基布との間に特殊綿を装入して前記構成要素を膨出成形してやや膨らませた請求項１乃至３の何れか１項に記載の画像処理布を用いたタペストリー等の室内装飾品。
【請求項５】
前記装飾品は、タペストリー、クッション、ウェルカムボード、かばん、ポシェット等である請求項１乃至４の何れか１項に記載の画像処理布を用いたタペストリー等の室内装飾品。
【手続補正２】
【補正対象書類名】明細書
【補正対象項目名】全文
【補正方法】変更
【補正の内容】
【考案の詳細な説明】
【技術分野】
【０００１】
本考案は、生地表面に画像処理を施した画像処理布を用いてデジタル写真等を表示するようにした画像処理布を用いたタペストリー等の室内装飾品に関する。
【背景技術】
【０００２】
近年、デジタルカメラによって撮影したデジタル写真やスキャンした写真などの画像、或は、データ化したイラスト等のデジタル画像を、印刷に適した処理を施した布表面にインクジェットプリンタなどの特殊印刷機を用いて印刷する技術が提案されている。デジタル画像をこの布に印刷した場合でも、通常の普通紙などに印刷したときと比較して発色性などの画質においてもほとんど遜色なく鮮明に表現でき、しかも洗濯も可能であり、洗濯した場合でもこの鮮明なカラーを保持できるようにもなってきているため、通常のデジタル写真プリントに加えて新たな写真保存技術として利用されつつある。
【０００３】
布の表面に特殊印刷機により写真を印刷したものとして、写真、絵画等の観賞イメージを表面側にカラー印刷した壁掛け用装飾品がある（例えば、特許文献１参照。）。この壁掛け用装飾品は、タフテッドカーペット地やウイルトン織等の無地のカーペット地からなる装飾品本体の表面にコンピュータエイドペインティング手段によってカラー印刷を施すようにしたものである。
一方、上記の壁掛け用装飾品以外にも、例えば、かばんなどに特殊な印刷装置を用いて写真等を印刷した装飾品も従来より提案されている。
【特許文献１】登録実用新案第３０１５３４２号公報
【考案の開示】
【考案が解決しようとする課題】
【０００４】
今日におけるデジタル技術は、日々新しい技術開発がなされている。デジタル画像の処理技術においても同様であり、現在ではデジタル画像処理技術は日々向上し、デジタル画像の鮮明さや色彩性などの表現性において高精細のデータが利用できるようになっている。
上記のデジタル写真等のデジタル画像を利用するユーザー側は、従来は、デジタル画像をプリントアウトして写真アルバムに貼り付けたり、パーソナルコンピュータ等のハードディスク内に保存したり、或は、ＣＤ−Ｒ、ＭＯ、フレキシブルディスク、メモリカード等のメディア内に保存したりすることによって、このデジタル画像を格納しておき、必要に応じてこれらを取り出したり画面に表示させたりして鑑賞するようにしていたが、上記のような布の表面に特殊な印刷機を用いて写真を印刷する技術の開発によって、これを新たなデータの格納手段として利用するようになっている。しかし、印刷後の布の格納場所としては、上記のような壁掛け用装飾品やかばん、又は、写真プリントしてアルバムなどに貼り付けるなど用途が限定されており、オリジナル性にも欠けていた。
このような理由によって、ユーザーは所望する装飾性の製品が得られず、一方、装飾品を製作する側は、製品として提供できる種類が限られ、ユーザーの満足感を満たしているとは言えない。
【０００５】
そこで本考案者は、デジタル画像を定着可能な布に画像を施して格納した思い出製品を本考案者が永年に蓄積した手芸手法を取り入れてこれを併合することによって、従来に存在しない使用価値の高い手芸製品を開発するに至った。即ち、その目的とするところは、予め用意した各種の手芸製品にユーザーからの写真を適用して、従来に無い新たな付加価値を有する新規の手芸製品を提供することにあり、もって、今までに無い新たな利用方法によってデジタル画像を利用でき、また、ユーザー毎に異なる製品を製作して、ユーザーが所望するオリジナル性に富んだ装飾性を発揮する画像処理布を用いた手芸製品を提供することにある。
【課題を解決するための手段】
【０００６】
上記の目的を達成するために、請求項１に係る考案は、生地表面にデジタル処理により適宜の画像を定着処理を施して画像処理布を作製し、この画像処理布を構成要素として手芸手法を用いて所望の製品に構成した画像処理布を用いたタペストリー等の室内装飾品である。
【０００７】
請求項２に係る考案は、前記デジタル処理手段は、インクジェットプリンタ、レーザープリンタ等の印刷手段である画像処理布を用いたタペストリー等の室内装飾品である。
【０００８】
請求項３に係る考案は、前記画像処理布は、インクジェットのインク層が浸透して所定経過後に定着するような布状体である画像処理布を用いたタペストリー等の室内装飾品である。
【０００９】
請求項４に係る考案は、前記構成要素である画像処理布と基布との間に特殊綿を装入して前記構成要素を膨出成形し、画像処理布をやや立体形状に構成して製品の一部とした画像処理布を用いたタペストリー等の室内装飾品である。
【００１０】
請求項５に係る考案は、前記製品は、タペストリー、クッション、ウェルカムボード、かばん、ポシェット等である画像処理布を用いたタペストリー等の室内装飾品である。
【考案の効果】
【００１１】
請求項１に係る考案によると、従来に存在しない新たな付加価値を有する使用価値の高いタペストリー等の室内装飾品であり、ユーザーからのデジタル画像をタペストリー等の室内装飾品に適用して製品化することで今までに無いタペストリー等の室内装飾品を提供できる。このとき、タペストリー等の室内装飾品のパターンを多数用意し、これに画像を印刷した布を組み合せて製品化することで量産に対応でき、コスト的にも有利である。
ユーザーは、これまでに無い利用方法によってデジタル画像を利用することができ、デジタルカメラで撮影したデジタル写真はもとより、フィルム写真もデジタル画像に変換することで、古い思い出写真をタペストリー等の室内装飾品と一体化した新たな形態で利用でき、蓄積したフィルム写真を新しい格納手段に格納することができる。この場合、パソコン等で画像にデジタル加工処理を施して画像を美しく再生することもでき、常に美しい状態の画像を利用して記念品や装飾品などのタペストリー等の室内装飾品を製作することができる。
また、ユーザー毎に異なる製品を製作して、ユーザーが所望するオリジナル性に富んだタペストリー等の室内装飾品を得ることができ、装飾性にも優れている。更には、予め作成したタペストリー等の室内装飾品以外の製品を製作することもでき、ユーザー毎に一品製作することも可能である。
【００１２】
請求項２に係る考案によると、製品の製作者、或はユーザーによって簡単に装飾性に優れる画像処理布を作製することができ、しかも低コストで作製できる。更に、この画像処理布をそのまま使用して所望の製品に構成することができる画像処理布を用いたタペストリー等の室内装飾品である。
【００１３】
請求項３に係る考案によると、優れた耐水性を発揮して、繰り返し洗濯を行っても装飾性を失うことがなく、また、優れた耐光性を発揮させることもできる画像処理布を用いたタペストリー等の室内装飾品である。
【００１４】
請求項４に係る考案によると、従来に無い独特の装飾性を発揮することができ、また、視覚的に優れるだけでなく、触れたときにもこれまでに無い独特の触感が得られる画像処理布を用いたタペストリー等の室内装飾品である。
【００１５】
請求項５に係る考案によると、様々な形態の製品を設けることができ、室内装飾品として常に飾った状態で観賞することができ、わざわざ収納する必要がない。また、実用的にも優れた画像処理布を用いたタペストリー等の室内装飾品である。
【考案を実施するための最良の形態】
【００１６】
本考案における画像処理布を用いた手芸製品の一実施形態を図面に基づいて説明する。
図１は、本考案における画像処理布を用いた手芸製品の一実施形態を示す正面図であり、タペストリーを製品本体１としたものである。
画像処理布２は、綿等の生地３表面にデジタル処理により適宜の画像部２ａを定着処理して作製したものであり、画像部２ａのデジタル処理手段は、例えば、インクジェットプリンタ、レーザープリンタ等の図示しない印刷手段である。また、デジタル処理とは、デジタルカメラで撮影したデジタル写真の印刷からなる通常の処理のみならず、フィルム写真をスキャニングしてコンピュータに格納してデジタル加工を介して印刷するものを含んでいる。
画像処理布２は手芸製品の製作者、或はユーザーの何れによっても作製可能であるが、通常は製作者が作製し、この場合、ユーザーからデータ化されたデジタル写真やイラスト等を受取って所定の画像部２ａを印刷している。データの受取りは、例えば、ＣＤ−Ｒ、ＭＯ、フレキシブルディスク、メモリカード等のメディアによって行ったり、或は、インターネット等によってオンラインで行うことも可能であり、ユーザーは印刷する手間が省けると共に、高性能の印刷機によって、より高精細な画像部２ａが得られる。
【００１７】
ここで、インクジェットプリンタは、細径のインクノズルからインクを噴出させてドット記録を行うようにしたものであり、この方式で使用されるインクには噴射の信頼性などが要求されるため水溶性の直接染料、酸性染料などが含まれている。このため、インクは結果として水に溶けやすくなっている。
従って、画像処理布２はインクジェットのインク層が浸透して所定経過後に定着するような布状体として、インクジェットプリンタ等からの水性インクに対して耐水性が良く、更には耐光性も良い材料であり、例えば、画像処理布２の表面に対して耐水性、及び耐光性に優れたカチオン単位とアニオン単位を含む高分子化合物からなる表面処理剤３ａで表面処理している。これにより、イオン密度が高くなることによって溶解性が安定し、更に、カルボン酸とアミンとの両方を存在させることによりｐＨの安定性が高められ、この特定両性高分子化合物が有効に働いて結合状態が安定し、耐水性及び耐光性が高められる。
【００１８】
更に、画像処理布２のインクの染み出しをより防ぐようにするには、例えば、両側部分をインクが浸透可能な層、中央部分をインクが定着する性質の層とした３層構造にしておけば、印刷時にインクが表面層に着弾した後に中央層まで浸透し、乾燥したときに中央層部分に定着するため、インクが生地３の内部に残って洗濯等の水分で色落ちしたり剥がれたりするおそれがなく、インクが浸透する層の無い１層構造の場合と比較して、インクの浸透層が本体内部にある状態のため、インクをにじませることなく吸収して美しく印刷され、発色性も良くなる。従って、印刷後に完全に生地３に定着して半永久的に色落ちするおそれがない。また、この生地３全体は薄くすることができるため、手触り感を良くできる等のメリットがある。
【００１９】
次に、上記によって得られる画像処理布２を用いて製品本体１を製作する。製作者は、手芸製品の各種のパターンを多数用意しておき、これにユーザーによる指定の写真を印刷した画像処理布２を組み合せて製品化する。製品本体１の種類としては、例えば、タペストリー、クッション、ウェルカムボード、かばん、ポシェット等があるが、これ以外にも、ユーザーの希望に応じて形状や色彩などを変更したり、新たな形態の製品本体１を製作することも可能であり、何れの場合も画像処理布２を構成要素として手芸手法を用いて所望の製品に構成するようにしている。
【００２０】
図２において、画像処理布２を縫付ける際は、構成要素である画像処理布２と基布４との間に特殊綿７を装入して膨出成形し、画像処理布２をやや立体形状に構成して製品の一部としている。装飾布５と枠布６は、画像処理布２にそれぞれ隣接させ、これらを縫付糸８によって縫付けて一体化している。このようなパッチワークその他の手芸手法によって縫付けを行い、更に、モチーフとなる画像部２ａの周囲などをキルティングすることで画像部２ａに形成された模様を全体的に浮かび上がらせて製品本体１を立体的に形成している。
本実施形態においては、異なる図柄の画像部２ａの画像処理布２を装飾布５と枠布６との間の複数箇所に配置した状態で縫付糸８で縫付けているため、画像処理布２と画像部２ａが隆起して立体的な状態になる。
なお、基布４、装飾布５、枠布６は、装飾が得られる画像処理布２と同材料であってもよいが、別の材料を用いてもよく、実施に応じて任意である。また、基布４、装飾布５、枠布６の表面側にも、実施する製品本体１に合わせて適宜のキルティング等の手芸手法によって装飾を施すようにしてもよい。
【００２１】
図３〜図６においては、本考案における画像処理布を用いた手芸製品の他の実施形態を示しており、各図に示すように、製品本体をタペストリー以外のクッション１１、ウェルカムボード１３、かばん１５、ポシェット１７にそれぞれ設けたものである。この場合もタペストリー１の場合と同様に、デジタル写真や、スキャニングしたデジタル画像及びデジタル加工した画像、イラスト等のデジタル画像を印刷した画像処理布１２、１４、１６、１８を縫付糸８でそれぞれ縫付けるようにすればよい。他の実施形態においても、パッチワークやキルティング処理を施すことができることはもとより、図３、４に示すように画像処理布１２、１４の外周縁などにアップリケ１１ａ、１３ａなどの異なる装飾をそれぞれ施している。
また、図示しないが、画像処理布を用いて動物のぬいぐるみ等の立体物を製作することもでき、この場合、内部に装入する特殊綿の量を調節することによって、画像処理布の立体感をより一層引き立たせることが可能である。
【００２２】
図７においては、製品本体２０を衣服であるＴシャツとしたものであり、画像部２１ａを施した画像処理布２１を、図示しない接着のりを用いてアイロン掛けによって溶着している。このように、画像処理布は、縫付糸による縫付けによる取付け手段だけに拘ることなく、接着のりによる貼付けや、その他の各種の手芸手法などによって所望の製品に構成すればよい。
【００２３】
本考案における画像処理布を用いた手芸製品の更なる例としては、例えば、座布団、ランチョンマット、テーブルクロスなどがあり、また、各製品の用途としても、壁掛け用、置物用、身体装着用、所持用、吊り下げ用、収納用などがある。更には、手芸製品以外にも、例えば、掛け時計、腕時計などの時計、カレンダー、靴・スリッパ、ポスター、傘、マウスパッドなどの各種の製品本体としてもよい。
また、図示しないが、画像処理布に刺繍やビーズによって装飾を施したり、又はインターネットからダウンロードした模様を印刷した布にデジタル写真を組み合せる等によって、手芸製品の価値を高めることもできる。
【００２４】
次に本考案における画像処理布を用いた手芸製品の上記実施形態の作用を説明する。
本考案における画像処理布を用いた手芸製品は、生地３にデジタル処理により画像部２ａを定着処理した画像処理布２を設け、この画像処理布２を構成要素として手芸手法を用いて所望の製品に構成しているので、デジタル画像に付加価値を持たせた従来に無い全く新たな手芸製品を提供できる。
しかも、紙に印刷した場合とは異なり、破れたりすることがなく耐久性に優れ、従来のように板面上に貼り付けて平面的に利用できることはもとより、曲面上に貼り付けるなどの立体的にも利用することが可能であり、布の特性を生かしてデジタル画像を格納することができる。
【００２５】
ユーザーは、写真アルバムや、ハードディスク等のメディア、或は壁掛け用の装飾品による観賞以外の従来に全く無い新たな観賞手段が得られ、室内装飾品として優れた装飾性を発揮するばかりか、デジタル画像の新たな格納場所として利用できる。このとき、製作者が製作した各種の手芸製品と組合せてオリジナル性を有しつつ優れた装飾性を発揮する貴重な製品を得ることができ、従来には無い満足感が得られる。
このように、製品本体１を画像部２ａを表示させながら使用することにより、収納したりしまい込んだりする必要が無いアルバム機能を有するものとして使用可能であり、インテリアとして常に室内に飾ることが可能であり、また、上記の何れの製品本体においても、製品本体を手芸手法を用いて手作り風に製作していることで、製品本体に立体感、高級感、温かみをかもし出している。
【００２６】
更に、インクジェットプリンタ等の印刷手段でデジタル処理を行うようにしているので、特殊な印刷方法を用いることなく場所を問わずに誰でも簡単に印刷でき、低コストで高画質の印刷が可能である。
【産業上の利用可能性】
【００２７】
本考案は、例えば、タペストリー、クッション、ウェルカムボード、かばん、ポシェット等の手芸製品を製作する場合に特に好適であるが、これら以外の各種の装飾品などにも応用することができ、従来には得られなかった新たな製品を設けることができるものである。
【図面の簡単な説明】
【００２８】
【図１】本考案における画像処理布を用いた手芸製品の一実施形態を示す正面図である。
【図２】図１のＡ−Ａ線断面模式図である。
【図３】本考案における画像処理布を用いた手芸製品の他の実施形態を示す正面図である。
【図４】本考案における画像処理布を用いた手芸製品の更に他の実施形態を示す正面図である。
【図５】本考案における画像処理布を用いた手芸製品の更に他の実施形態を示す正面図である。
【図６】本考案における画像処理布を用いた手芸製品の更に他の実施形態を示す斜視図図である。
【図７】本考案における画像処理布を用いた手芸製品の更に他の実施形態を示す正面図である。
【符号の説明】
【００２９】
１  製品本体（タペストリー）
２  画像処理布
２ａ  画像部
３  生地
４  基布
７  特殊綿
１１  クッション
１３  ウェルカムボード
１５  かばん
１７  ポシェット
【手続補正書】
【提出日】平成16年8月30日(2004.8.30)
【手続補正１】
【補正対象書類名】実用新案登録請求の範囲
【補正対象項目名】全文
【補正方法】変更
【補正の内容】
【実用新案登録請求の範囲】
【請求項１】
生地表面にデジタル処理により適宜の画像を定着処理を施して画像処理布を作製し、この画像処理布を構成要素として手芸手法を用いて構成したことを特徴とする画像処理布を用いたタペストリー。
【請求項２】
前記デジタル処理手段は、インクジェットプリンタ、レーザープリンタ等の印刷手段である請求項１記載の画像処理布を用いたタペストリー。
【請求項３】
前記画像処理布は、インクジェットのインク層が浸透して所定経過後に定着するような布状体である請求項１又は２記載の画像処理布を用いたタペストリー。
【請求項４】
前記構成要素である画像処理布と基布との間に特殊綿を装入して前記構成要素を膨出成形してやや膨らませた請求項１乃至３の何れか１項に記載の画像処理布を用いたタペストリー。
【手続補正２】
【補正対象書類名】明細書
【補正対象項目名】全文
【補正方法】変更
【補正の内容】
【考案の詳細な説明】
【技術分野】
【０００１】
本考案は、生地表面に画像処理を施した画像処理布を用いてデジタル写真等を表示するようにした画像処理布を用いたタペストリーに関し、その他クッション、ウェルカムボード、かばん、ポシェットにも応用することができるものである。
【背景技術】
【０００２】
近年、デジタルカメラによって撮影したデジタル写真やスキャンした写真などの画像、或は、データ化したイラスト等のデジタル画像を、印刷に適した処理を施した布表面にインクジェットプリンタなどの特殊印刷機を用いて印刷する技術が提案されている。デジタル画像をこの布に印刷した場合でも、通常の普通紙などに印刷したときと比較して発色性などの画質においてもほとんど遜色なく鮮明に表現でき、しかも洗濯も可能であり、洗濯した場合でもこの鮮明なカラーを保持できるようにもなってきているため、通常のデジタル写真プリントに加えて新たな写真保存技術として利用されつつある。
【０００３】
布の表面に特殊印刷機により写真を印刷したものとして、写真、絵画等の観賞イメージを表面側にカラー印刷した壁掛け用装飾品がある（例えば、特許文献１参照。）。この壁掛け用装飾品は、タフテッドカーペット地やウイルトン織等の無地のカーペット地からなる装飾品本体の表面にコンピュータエイドペインティング手段によってカラー印刷を施すようにしたものである。
一方、上記の壁掛け用装飾品以外にも、例えば、かばんなどに特殊な印刷装置を用いて写真等を印刷した装飾品も従来より提案されている。
【特許文献１】登録実用新案第３０１５３４２号公報
【考案の開示】
【考案が解決しようとする課題】
【０００４】
今日におけるデジタル技術は、日々新しい技術開発がなされている。デジタル画像の処理技術においても同様であり、現在ではデジタル画像処理技術は日々向上し、デジタル画像の鮮明さや色彩性などの表現性において高精細のデータが利用できるようになっている。
上記のデジタル写真等のデジタル画像を利用するユーザー側は、従来は、デジタル画像をプリントアウトして写真アルバムに貼り付けたり、パーソナルコンピュータ等のハードディスク内に保存したり、或は、ＣＤ−Ｒ、ＭＯ、フレキシブルディスク、メモリカード等のメディア内に保存したりすることによって、このデジタル画像を格納しておき、必要に応じてこれらを取り出したり画面に表示させたりして鑑賞するようにしていたが、上記のような布の表面に特殊な印刷機を用いて写真を印刷する技術の開発によって、これを新たなデータの格納手段として利用するようになっている。しかし、印刷後の布の格納場所としては、上記のような壁掛け用装飾品やかばん、又は、写真プリントしてアルバムなどに貼り付けるなど用途が限定されており、オリジナル性にも欠けていた。
このような理由によって、ユーザーは所望する装飾性の製品が得られず、一方、装飾品を製作する側は、製品として提供できる種類が限られ、ユーザーの満足感を満たしているとは言えない。
【０００５】
そこで本考案者は、デジタル画像を定着可能な布に画像を施して格納した思い出製品を本考案者が永年に蓄積した手芸手法を取り入れてこれを併合することによって、従来に存在しない使用価値の高い手芸製品を開発するに至った。即ち、その目的とするところは、予め用意した各種の手芸製品にユーザーからの写真を適用して、従来に無い新たな付加価値を有する新規の手芸製品を提供することにあり、もって、今までに無い新たな利用方法によってデジタル画像を利用でき、また、ユーザー毎に異なる製品を製作して、ユーザーが所望するオリジナル性に富んだ装飾性を発揮する画像処理布を用いた手芸製品を提供することにある。
【課題を解決するための手段】
【０００６】
上記の目的を達成するために、請求項１に係る考案は、生地表面にデジタル処理により適宜の画像を定着処理を施して画像処理布を作製し、この画像処理布を構成要素として手芸手法を用いて構成したことを特徴とする画像処理布を用いたタペストリーである。
【０００７】
請求項２に係る考案は、前記デジタル処理手段は、インクジェットプリンタ、レーザープリンタ等の印刷手段である請求項１記載の画像処理布を用いたタペストリーである。
【０００８】
請求項３に係る考案は、前記画像処理布は、インクジェットのインク層が浸透して所定経過後に定着するような布状体である画像処理布を用いたタペストリーである。
【０００９】
請求項４に係る考案は、前記構成要素である画像処理布と基布との間に特殊綿を装入して前記構成要素を膨出成形し、画像処理布をやや立体形状に構成して製品の一部とした画像処理布を用いたタペストリーである。
【考案の効果】
【００１０】
請求項１に係る考案によると、従来に存在しない新たな付加価値を有する使用価値の高いタペストリーであり、その他クッション、ウェルカムボード、かばん、ポシェットにも応用可能であり、ユーザーからのデジタル画像をタペストリー、クッション、ウェルカムボード、かばん、ポシェットに適用して製品化することで今までに無いものを提供できる。このとき、タペストリー等のパターンを多数用意し、これに画像を印刷した布を組み合せて製品化することで量産に対応でき、コスト的にも有利である。
ユーザーは、これまでに無い利用方法によってデジタル画像を利用することができ、デジタルカメラで撮影したデジタル写真はもとより、フィルム写真もデジタル画像に変換することで、古い思い出写真をタペストリー等と一体化した新たな形態で利用でき、蓄積したフィルム写真を新しい格納手段に格納することができる。この場合、パソコン等で画像にデジタル加工処理を施して画像を美しく再生することもでき、常に美しい状態の画像を利用して記念品や装飾品などのタペストリー等を製作することができる。
また、ユーザー毎に異なる製品を製作して、ユーザーが所望するオリジナル性に富んだタペストリー等を得ることができ、装飾性にも優れている。更には、予め作成したタペストリー以外の製品を製作することもでき、ユーザー毎に一品製作することも可能である。
【００１１】
請求項２に係る考案によると、製品の製作者、或はユーザーによって簡単に装飾性に優れる画像処理布を作製することができ、しかも低コストで作製できる。更に、この画像処理布をそのまま使用して所望の製品に構成することができる画像処理布を用いたものである。
【００１２】
請求項３に係る考案によると、優れた耐水性を発揮して、繰り返し洗濯を行っても装飾性を失うことがなく、また、優れた耐光性を発揮させることもできる画像処理布を用いたものである。
【００１３】
請求項４に係る考案によると、従来に無い独特の装飾性を発揮することができ、また、視覚的に優れるだけでなく、触れたときにもこれまでに無い独特の触感が得られる画像処理布を用いたものである。
【考案を実施するための最良の形態】
【００１４】
本考案における画像処理布を用いた手芸製品の一実施形態を図面に基づいて説明する。
図１は、本考案における画像処理布を用いた手芸製品の一実施形態を示す正面図であり、タペストリーを製品本体１としたものである。
画像処理布２は、綿等の生地３表面にデジタル処理により適宜の画像部２ａを定着処理して作製したものであり、画像部２ａのデジタル処理手段は、例えば、インクジェットプリンタ、レーザープリンタ等の図示しない印刷手段である。また、デジタル処理とは、デジタルカメラで撮影したデジタル写真の印刷からなる通常の処理のみならず、フィルム写真をスキャニングしてコンピュータに格納してデジタル加工を介して印刷するものを含んでいる。
画像処理布２は手芸製品の製作者、或はユーザーの何れによっても作製可能であるが、通常は製作者が作製し、この場合、ユーザーからデータ化されたデジタル写真やイラスト等を受取って所定の画像部２ａを印刷している。データの受取りは、例えば、ＣＤ−Ｒ、ＭＯ、フレキシブルディスク、メモリカード等のメディアによって行ったり、或は、インターネット等によってオンラインで行うことも可能であり、ユーザーは印刷する手間が省けると共に、高性能の印刷機によって、より高精細な画像部２ａが得られる。
【００１５】
ここで、インクジェットプリンタは、細径のインクノズルからインクを噴出させてドット記録を行うようにしたものであり、この方式で使用されるインクには噴射の信頼性などが要求されるため水溶性の直接染料、酸性染料などが含まれている。このため、インクは結果として水に溶けやすくなっている。
従って、画像処理布２はインクジェットのインク層が浸透して所定経過後に定着するような布状体として、インクジェットプリンタ等からの水性インクに対して耐水性が良く、更には耐光性も良い材料であり、例えば、画像処理布２の表面に対して耐水性、及び耐光性に優れたカチオン単位とアニオン単位を含む高分子化合物からなる表面処理剤３ａで表面処理している。これにより、イオン密度が高くなることによって溶解性が安定し、更に、カルボン酸とアミンとの両方を存在させることによりｐＨの安定性が高められ、この特定両性高分子化合物が有効に働いて結合状態が安定し、耐水性及び耐光性が高められる。
【００１６】
更に、画像処理布２のインクの染み出しをより防ぐようにするには、例えば、両側部分をインクが浸透可能な層、中央部分をインクが定着する性質の層とした３層構造にしておけば、印刷時にインクが表面層に着弾した後に中央層まで浸透し、乾燥したときに中央層部分に定着するため、インクが生地３の内部に残って洗濯等の水分で色落ちしたり剥がれたりするおそれがなく、インクが浸透する層の無い１層構造の場合と比較して、インクの浸透層が本体内部にある状態のため、インクをにじませることなく吸収して美しく印刷され、発色性も良くなる。従って、印刷後に完全に生地３に定着して半永久的に色落ちするおそれがない。また、この生地３全体は薄くすることができるため、手触り感を良くできる等のメリットがある。
【００１７】
次に、上記によって得られる画像処理布２を用いて製品本体１を製作する。製作者は、手芸製品の各種のパターンを多数用意しておき、これにユーザーによる指定の写真を印刷した画像処理布２を組み合せて製品化する。製品本体１の種類としては、例えば、タペストリー、クッション、ウェルカムボード、かばん、ポシェット等があるが、これ以外にも、ユーザーの希望に応じて形状や色彩などを変更したり、新たな形態の製品本体１を製作することも可能であり、何れの場合も画像処理布２を構成要素として手芸手法を用いて所望の製品に構成するようにしている。
【００１８】
図２において、画像処理布２を縫付ける際は、構成要素である画像処理布２と基布４との間に特殊綿７を装入して膨出成形し、画像処理布２をやや立体形状に構成して製品の一部としている。装飾布５と枠布６は、画像処理布２にそれぞれ隣接させ、これらを縫付糸８によって縫付けて一体化している。このようなパッチワークその他の手芸手法によって縫付けを行い、更に、モチーフとなる画像部２ａの周囲などをキルティングすることで画像部２ａに形成された模様を全体的に浮かび上がらせて製品本体１を立体的に形成している。
本実施形態においては、異なる図柄の画像部２ａの画像処理布２を装飾布５と枠布６との間の複数箇所に配置した状態で縫付糸８で縫付けているため、画像処理布２と画像部２ａが隆起して立体的な状態になる。
なお、基布４、装飾布５、枠布６は、装飾が得られる画像処理布２と同材料であってもよいが、別の材料を用いてもよく、実施に応じて任意である。また、基布４、装飾布５、枠布６の表面側にも、実施する製品本体１に合わせて適宜のキルティング等の手芸手法によって装飾を施すようにしてもよい。
【００１９】
図３〜図６においては、本考案における画像処理布を用いた手芸製品の他の実施形態を示しており、各図に示すように、製品本体をタペストリー以外のクッション１１、ウェルカムボード１３、かばん１５、ポシェット１７にそれぞれ設けたものである。この場合もタペストリー１の場合と同様に、デジタル写真や、スキャニングしたデジタル画像及びデジタル加工した画像、イラスト等のデジタル画像を印刷した画像処理布１２、１４、１６、１８を縫付糸８でそれぞれ縫付けるようにすればよい。他の実施形態においても、パッチワークやキルティング処理を施すことができることはもとより、図３、４に示すように画像処理布１２、１４の外周縁などにアップリケ１１ａ、１３ａなどの異なる装飾をそれぞれ施している。
また、図示しないが、画像処理布を用いて動物のぬいぐるみ等の立体物を製作することもでき、この場合、内部に装入する特殊綿の量を調節することによって、画像処理布の立体感をより一層引き立たせることが可能である。
【００２０】
図７においては、製品本体２０を衣服であるＴシャツとしたものであり、画像部２１ａを施した画像処理布２１を、図示しない接着のりを用いてアイロン掛けによって溶着している。このように、画像処理布は、縫付糸による縫付けによる取付け手段だけに拘ることなく、接着のりによる貼付けや、その他の各種の手芸手法などによって所望の製品に構成すればよい。
【００２１】
本考案における画像処理布を用いた手芸製品の更なる例としては、例えば、座布団、ランチョンマット、テーブルクロスなどがあり、また、各製品の用途としても、壁掛け用、置物用、身体装着用、所持用、吊り下げ用、収納用などがある。更には、手芸製品以外にも、例えば、掛け時計、腕時計などの時計、カレンダー、靴・スリッパ、ポスター、傘、マウスパッドなどの各種の製品本体としてもよい。
また、図示しないが、画像処理布に刺繍やビーズによって装飾を施したり、又はインターネットからダウンロードした模様を印刷した布にデジタル写真を組み合せる等によって、手芸製品の価値を高めることもできる。
【００２２】
次に本考案における画像処理布を用いた手芸製品の上記実施形態の作用を説明する。
本考案における画像処理布を用いた手芸製品は、生地３にデジタル処理により画像部２ａを定着処理した画像処理布２を設け、この画像処理布２を構成要素として手芸手法を用いて所望の製品に構成しているので、デジタル画像に付加価値を持たせた従来に無い全く新たな手芸製品を提供できる。
しかも、紙に印刷した場合とは異なり、破れたりすることがなく耐久性に優れ、従来のように板面上に貼り付けて平面的に利用できることはもとより、曲面上に貼り付けるなどの立体的にも利用することが可能であり、布の特性を生かしてデジタル画像を格納することができる。
【００２３】
ユーザーは、写真アルバムや、ハードディスク等のメディア、或は壁掛け用の装飾品による観賞以外の従来に全く無い新たな観賞手段が得られ、室内装飾品として優れた装飾性を発揮するばかりか、デジタル画像の新たな格納場所として利用できる。このとき、製作者が製作した各種の手芸製品と組合せてオリジナル性を有しつつ優れた装飾性を発揮する貴重な製品を得ることができ、従来には無い満足感が得られる。
このように、製品本体１を画像部２ａを表示させながら使用することにより、収納したりしまい込んだりする必要が無いアルバム機能を有するものとして使用可能であり、インテリアとして常に室内に飾ることが可能であり、また、上記の何れの製品本体においても、製品本体を手芸手法を用いて手作り風に製作していることで、製品本体に立体感、高級感、温かみをかもし出している。
【００２４】
更に、インクジェットプリンタ等の印刷手段でデジタル処理を行うようにしているので、特殊な印刷方法を用いることなく場所を問わずに誰でも簡単に印刷でき、低コストで高画質の印刷が可能である。
【産業上の利用可能性】
【００２５】
本考案は、例えば、タペストリー、クッション、ウェルカムボード、かばん、ポシェット等の手芸製品を製作する場合に特に好適であるが、これら以外の各種の装飾品などにも応用することができ、従来には得られなかった新たな製品を設けることができるものである。
【図面の簡単な説明】
【００２６】
【図１】本考案における画像処理布を用いた手芸製品の一実施形態を示す正面図である。
【図２】図１のＡ−Ａ線断面模式図である。
【図３】本考案における画像処理布を用いた手芸製品の他の実施形態を示す正面図である。
【図４】本考案における画像処理布を用いた手芸製品の更に他の実施形態を示す正面図である。
【図５】本考案における画像処理布を用いた手芸製品の更に他の実施形態を示す正面図である。
【図６】本考案における画像処理布を用いた手芸製品の更に他の実施形態を示す斜視図図である。
【図７】本考案における画像処理布を用いた手芸製品の更に他の実施形態を示す正面図である。
【符号の説明】
【００２７】
１  タペストリー
２  画像処理布
２ａ  画像部
３  生地
４  基布
７  特殊綿
１１  クッション
１３  ウェルカムボード
１５  かばん
１７  ポシェット